(57)【要約】【課題】増大する廃プラスチック等の資源ゴミを有効利用又焼却、埋め立て等の減量等を促進し簡単安価にリサイクル利用出来るシステム。【解決手段】廃プラスチック等のリサイクル率が向上しない理由はプラスチックに付着している食物残渣や汚れの為リサイクルが出来ず焼却や埋め立て等に多くの廃プラスチックが処理されています、これらを解決する要因は廃プラスチックに付着している汚れを完全に洗い流す事によりリサイクル出来ます、容量計測装置の装備したベルトコンベアーにより廃プラスチック等を移動計測し洗浄機本体に投入します、投入された廃プラスチック等は洗浄槽の回転により洗浄されます、洗浄後廃プラスチック等は洗浄槽が前面に傾き洗浄水と共に脱水システムに移動し脱水します、脱水された廃プラスチック等は収納ボックスに回収されます又脱水システム外側部の集水筒に入った洗浄水は濾過装置により濾過され洗浄槽に戻ります、この繰り返しにより洗浄水の排出も少なく環境汚染も無い。【選択図】図１
2005081340.tif 000002
【特許請求の範囲】
【請求項１】
廃プラスチック等の一定量の供給を洗浄装置に投入する自動コンベア装置。
【請求項２】
廃プラスチック等の洗浄自動装置。
【請求項３】
廃プラスチック等の洗浄における、脱水装置及び洗浄水の濾過循環システム。
【発明の詳細な説明】
【発明の詳細な説明】
【産業上の利用分野】
【０００１】本発明は急速に増加する廃プラスチックのリサイクル処理を用益にする為に表面の汚れ又食物残渣及び付着物等の洗浄を自動化し又原料の投入、脱水、回収も自動化する事によりコストの削減、リサイクル率の高上に貢献し資源の効率化を促進する装置。
【背景技術】
【０００２】廃プラスチックのリサイクル処理工程の一貫として、洗浄工程が有りますが人員を配置した手洗いが一般的で、効率が悪く、これによりリサイクル率の低下又処理費の高騰等を招いています、洗浄後の水の処理、付着物の残渣処理等も一般排水として処理している。
【発明が解決しようとする課題】
【０００３】廃プラスチック等の洗浄処理の工程に置いての手洗いを、自動洗浄し廃プラスチック等を洗浄装置に自動投入又脱水、原料自動回収出来る装置と、洗浄水を濾過し再利用する事により外部に排水しない、廃プラスチック等の自動洗浄装置。
【０００４】そこで本発明の目的は廃プラスチック等を爪の付いたベルトコンベアーに乗せ一定量が洗浄機に投入されるとコンベアーベルトが止まり、洗浄機に水が注水されます、一定量の注水後、注水が停止し洗浄機本体が回転します、本体の回転により本体内部に取り付けられた半楕円形状の攪拌ブレードにより内部の洗浄水が攪拌され廃プラスチック等の汚れが落ちます、一定時間攪拌し洗浄機本体が回転をしながら前面に傾き洗浄中の廃プラスチック等を洗浄機前面に装着されている脱水装置に洗浄水と共に送り込まれます、脱水装置に入った洗浄水と廃プラスチック等は傾斜している前面脱水装置の中で脱水され、廃プラスチック等回収ボックスに落ち回収されます。
【課題を解決するための手段】
【０００５】前記目的を達成して課題を達成するため，本発明に係る廃プラスチック等自動洗浄装置はセンサーによる容積計量装置の装備したベルトコンベアーにより任意に容積を設定出来、このベルトコンベアーで運ばれた廃プラスチック等は投入口から洗浄装置に入ります、この時点で一回目の洗浄水がシステ厶タンクから注入され又洗剤も注入されます、注水量が計測され洗浄装置が回転します、注水量の計測は流量メーターにより計測又注水量は任意に設定できる。
【０００６】洗浄装置は洗浄槽壁面に半楕円形状の攪拌ブレードが水の攪拌力を強めるように配置されていて、廃プラスチック等と洗剤入り洗浄水が洗浄装置の回転によりブレードに攪拌され洗浄される、設定された時間洗浄回転した洗浄槽は前面脱水層側に傾き洗浄水と廃プラスチック等を脱水装置に排出する。
【０００７】排出された廃プラスチック等と洗浄水は円筒状の網の筒に排出され、水は網を通過し外部に設けられている円筒状排水回収部に流れる、排水回収部は洗浄槽及脱水部の円筒状の回転とは逆方向に回転する反転ギャが排水回収部の位置を変動させず排水回収ホースの位置を一定に保つ。
【０００８】回収された洗浄水は濾過層を通過、浮遊物を濾過され洗浄槽に戻る、この繰り開始により外部への排水流出を無くし環境を汚染する事も無い、又洗浄水濾過層は４層のカセット式に成っており汚れが付着した時カセットを取り外し洗浄する事が出来る。
【実施例】
【０００９】以下，添付図面に基づいて本発明の実施例を説明する。
図１は，本発明による廃プラスチック等の自動洗浄装置システ厶の一例を示す物である。この廃プラスチック等自動洗浄装置システムは金属又は樹脂等で形成し２８のベルトコンベアーに乗っている１０の廃プラスチック等は２５の爪により下がる事無く移動します、１０は２８を移動中に容量センサー１の前を通過し容量が計測されます、計測された１０は洗浄機投入ホッパー５に投入される。【００１０】ホッパー５に投入された１０は洗浄機６に移動、同時にホッパー５に洗剤入り洗浄水が注入される、始動時の洗浄水はシステムタンク４１から注水され一定量注水すると止まる。【００１１】システ厶タンク４１からの注水が止まると洗浄機６が回転する、洗浄機６の内部側壁には水流攪拌ブレードが配置されており６が回転する事により内部の洗浄水が廃プラスチックと共に攪拌される、この回転時間を自動設定又任意設定し汚れにおおじた時間設定ができる、又洗浄機本体部分は回転運動上下運動が可能で、架台４に設置されているモーターにより稼動する、この廃プラスチック等自動洗浄装置は手動レバー３０似ても稼動させる事ができる。【００１２】洗浄機６で洗浄された廃プラスチック等１０は６が回転しながら前方を下げる事に拠り６の洗浄機本体から３と２３から成る脱水システムに移動する。【００１３】洗浄機６と脱水装置３とは一体回転運動をします、この時脱水装置外側の集水部２３は６、３、との回転に同調しない、反転ギヤー７と９が６と３の回転方向を相殺し２３を静止させる又洗浄機６の上下運動に連動しベルトコンベアー２８も追随する。【００１４】洗浄水集水装置２３に集まった洗浄水は２１の排水ホースを経由し濾過装置２０に入ります、洗浄水は２０にセットされているカセット状の濾過機２９で濾過される、２９の濾過機は洗浄水の浮遊物等を濾過し２２の給水ホースを通り５のホッパー上部の注水口から注水する。【００１５】４１のシステムタンクからの注水は稼動時１回とし、洗浄水の汚れが烈しい時は手動にて注水する。【００１６】４１のシステムタンクからの中途注水時は２１、２９を経由した洗浄水を排水溝にて排水する又２９はカセット状に成っており取り外し取り付けは簡単に出来る。
【発明の効果】
【００１７】以上説明したように本発明に係る廃プラスチック等自動供給及び洗浄、脱水排出自動装置は、増大する廃プラスチック等のリサイクル率の促進又焼却及び埋め立て等の軽減など廃プラスチック等の有効利用に貢献するシステムである。
【図面の簡単な説明】
【図１】本発明に係る廃プラスチック等自動洗浄装置の一例を示す透視斜視図である。
【図２】本発明に係る廃プラスチック等自動洗浄装置の一例を示す断面透視図である。
【符号の説明】
１    廃プラスチック等容量計測センサー
３    脱水円筒形網
４    本体取り付け架台
５    投入ホッパー
６    洗浄機本体
７    反転ギヤー
８    廃プラスチック等受けボックス
９    先端部反転ギヤー
１０  廃プラスチック等
２０  洗浄水濾過装置
２１  洗浄水吸引ホース
２２  洗浄水注水ホース
２３  洗浄水集水ダクト
２５  コンベアーベルト爪
２８  コンベアー
２９  洗浄水濾過カセット
３０  洗浄装置手動レバー
４１  始動時注水タンク
【図１】
2005081340.tif 000003
【図２】
2005081340.tif 000004